(57)【特許請求の範囲】
【請求項１】
焼却灰が導入される筒状の壁面からなる導入口及び貯留水で冷却された前記焼却灰を排出する排出口を備えた冷却槽と、
前記冷却槽内に配置され、先端が前記冷却槽の底面の全幅に亘って接するとともに前記焼却灰を前記排出口側へ押し出すスクレーパと、
前記導入口に対し前記排出口と逆側に配置され、前記スクレーパを駆動する駆動装置とを有し、
前記冷却槽の前記底面は、前記導入口の直下から前記排出口が形成された開口端に向かって上り傾斜となる第一傾斜面と、前記第一傾斜面と同一幅であって前記導入口の直下から前記第一傾斜面の逆側に向かって上り傾斜となる第二傾斜面とを備え、
前記貯留水は、前記冷却槽内に、前記壁面の下端よりも上方且つ前記排出口よりも下方である所定水位で貯えられ、
前記駆動装置は、前記第二傾斜面の上方に配置された駆動軸を備え、前記駆動軸が回動することで前記駆動軸と前記スクレーパとに接続されたアームによって前記スクレーパを前記底面に沿って前進及び後進の往復動作させる灰押出装置であって、
前記第二傾斜面の上方であって、前記往復動作する前記スクレーパ及び前記アームに接触しない位置に一端から他端まで配置された第一配管を有し、
前記第一配管は、前記一端が前記所定水位よりも下方に配置されるとともに、前記一端に、前記他端から導入されたガスを前記第二傾斜面と前記スクレーパとの間に向けて噴出する第一噴出口を備え、
前記第一噴出口から噴出された前記ガスにより生じる前記貯留水の水流と前記ガスによる泡とによって、前記第二傾斜面側に堆積しようとする戻り灰を攪拌すること
を特徴とする灰押出装置。
【請求項２】
前記ガスは、圧縮空気または前記焼却灰を生成する焼却炉の排ガスであること
を特徴とする請求項１に記載の灰押出装置。
【請求項３】
前記第一噴出口からの前記ガスの噴出を制御する制御装置をさらに有し、
前記制御装置は、少なくとも前記スクレーパの後進の際に、前記第一噴出口から前記ガスを噴出させること
を特徴とする請求項２に記載の灰押出装置。
【請求項４】
前記第二傾斜面の上方であって、前記往復動作する前記スクレーパ及び前記アームに接触しない位置に一端から他端まで配置された第二配管をさらに有し、
前記第二配管は、前記一端が前記所定水位よりも下方に配置されるとともに、前記一端に、前記他端から導入されたガスを噴出する第二噴出口を備え、
前記第二噴出口は、前記壁面のうち前記第二傾斜面の上方に位置する壁面の下端部に形成された開孔に接続され、
前記第二噴出口から噴出された前記ガスにより生じる前記貯留水の水流と前記ガスによる泡とによって、前記壁面の前記下端部と前記スクレーパの上面との隙間に前記貯留水を流通させること
を特徴とする請求項３に記載の灰押出装置。
【請求項５】
前記壁面の下端部と前記スクレーパの上面との隙間は、前記スクレーパの前進に伴って次第に狭まり、前記スクレーパの後進に伴って次第に広がること
を特徴とする、請求項１から請求項４のいずれか一項に記載の灰押出装置。
【請求項６】
焼却灰が導入される筒状の壁面からなる導入口及び貯留水で冷却された前記焼却灰を排出する排出口を備えた冷却槽と、
前記冷却槽内に配置され、先端が前記冷却槽の底面の全幅に亘って接するとともに前記焼却灰を前記排出口側へ押し出すスクレーパと、
前記導入口に対し前記排出口と逆側に配置され、前記スクレーパを駆動する駆動装置とを有し、
前記冷却槽の前記底面は、前記導入口の直下から前記排出口が形成された開口端に向かって上り傾斜となる第一傾斜面と、前記第一傾斜面と同一幅であって前記導入口の直下から前記第一傾斜面の逆側に向かって上り傾斜となる第二傾斜面とを備え、
前記貯留水は、前記冷却槽内に、前記壁面の下端よりも上方且つ前記排出口よりも下方である所定水位で貯えられ、
前記駆動装置は、前記第二傾斜面の上方に配置された駆動軸を備え、前記駆動軸が回動することで前記駆動軸と前記スクレーパとに接続されたアームによって前記スクレーパを前記底面に沿って前進及び後進の往復動作させる灰押出装置の改造方法であって、
前記第二傾斜面の上方、且つ、前記往復動作する前記スクレーパ及び前記アームに接触しない位置に配管を配置する工程と、
ガスの噴出口である前記配管の一端を、前記所定水位の下方、且つ、前記第二傾斜面と前記スクレーパとの間に向けて配置する工程と
を有する灰押出装置の改造方法。
【発明の詳細な説明】
【技術分野】
【０００１】
本発明は、灰押出装置及び灰押出装置の改造方法に関する。
【背景技術】
【０００２】
従来、ごみ等の被焼却物を焼却するプラントとして焼却炉プラントが知られている。このプラント内の焼却炉（例えばストーカ炉）では、被焼却物を燃焼することで生成された灰（焼却灰）が灰シュートから灰押出装置へ落とされ、灰押出装置内の貯留水で冷却された後に灰押出装置から搬送装置へ排出される。灰押出装置には、貯留水で冷却された焼却灰を排出口へ押し出すスクレーパ（「プッシャー」とも呼ばれる）が設けられる。スクレーパは、排出口側に向かう前進方向と、これとは逆の後進方向とに往復動作して貯留水内の焼却灰を押し出す。
【０００３】
ところで、一般的な灰押出装置では、例えば特許文献１に示されているように、スクレーパの往復動作により、焼却灰がスクレーパの裏側下方に入り込んで堆積する傾向にある。このように、焼却灰の押出方向と逆方向に存在する空間（特許文献１の「プッシャー待機室４″」）に入り込んだ焼却灰は「戻り灰」とも呼ばれる。戻り灰の堆積量が増加すると、スクレーパの駆動に支障をきたし、焼却灰を排出口から押し出すことができなくなるおそれがある。
【０００４】
このため、従来は、定期的に灰押出装置の清掃を行って戻り灰を除去したり、または、特許文献１の灰押出装置のように焼却灰を押し出すプッシャー自体の構造を工夫したりすることで戻り灰の堆積を抑制している。
【先行技術文献】
【特許文献】
【０００５】
【特許文献１】特開２００６−３１７１１０号公報
【発明の概要】
【発明が解決しようとする課題】
【０００６】
しかしながら、灰押出装置の清掃は、焼却炉を停止させる必要があるので随時実施することができず、また、大変な労力と時間を要する。また、特許文献１のように、スクレーパ自体の構造を工夫して戻り灰の堆積を抑制する構成では、構造が複雑化して製造コストが増大する。
本発明は、このような課題に鑑み案出されたものであって、清掃を頻繁に行う必要がなく、簡易な構造で、且つ、戻り灰の堆積を抑制できる灰押出装置、及び、一般の灰押出装置を本発明の灰押出装置に安価に改造できる方法を提供することを目的する。
【課題を解決するための手段】
【０００７】
本発明の灰押出装置は、焼却灰が導入される筒状の壁面からなる導入口及び貯留水で冷却された前記焼却灰を排出する排出口を備えた冷却槽と、前記冷却槽内に配置され、先端が前記冷却槽の底面の全幅に亘って接するとともに前記焼却灰を前記排出口側へ押し出すスクレーパと、前記導入口に対し前記排出口と逆側に配置され、前記スクレーパを駆動する駆動装置とを有し、前記冷却槽の前記底面は、前記導入口の直下から前記排出口が形成された開口端に向かって上り傾斜となる第一傾斜面と、前記第一傾斜面と同一幅であって前記導入口の直下から前記第一傾斜面の逆側に向かって上り傾斜となる第二傾斜面とを備え、前記貯留水は、前記冷却槽内に、前記壁面の下端よりも上方且つ前記排出口よりも下方である所定水位で貯えられ、前記駆動装置は、前記第二傾斜面の上方に配置された駆動軸を備え、前記駆動軸が回動することで前記駆動軸と前記スクレーパとに接続されたアームによって前記スクレーパを前記底面に沿って前進及び後進の往復動作させる灰押出装置であって、前記第二傾斜面の上方であって、前記往復動作する前記スクレーパ及び前記アームに接触しない位置に一端から他端まで配置された第一配管を有し、前記第一配管は、前記一端が前記所定水位よりも下方に配置されるとともに、前記一端に、前記他端から導入されたガスを前記第二傾斜面と前記スクレーパとの間に向けて噴出する第一噴出口を備え、前記第一噴出口から噴出された前記ガスにより生じる前記貯留水の水流と前記ガスによる泡とによって、前記第二傾斜面側に堆積しようとする戻り灰を攪拌することを特徴とする。
【０００８】
本発明の灰押出装置の改造方法は、焼却灰が導入される筒状の壁面からなる導入口及び貯留水で冷却された前記焼却灰を排出する排出口を備えた冷却槽と、前記冷却槽内に配置され、先端が前記冷却槽の底面の全幅に亘って接するとともに前記焼却灰を前記排出口側へ押し出すスクレーパと、前記導入口に対し前記排出口と逆側に配置され、前記スクレーパを駆動する駆動装置とを有し、前記冷却槽の前記底面は、前記導入口の直下から前記排出口が形成された開口端に向かって上り傾斜となる第一傾斜面と、前記第一傾斜面と同一幅であって前記導入口の直下から前記第一傾斜面の逆側に向かって上り傾斜となる第二傾斜面とを備え、前記貯留水は、前記冷却槽内に、前記壁面の下端よりも上方且つ前記排出口よりも下方である所定水位で貯えられ、前記駆動装置は、前記第二傾斜面の上方に配置された駆動軸を備え、前記駆動軸が回動することで前記駆動軸と前記スクレーパとに接続されたアームによって前記スクレーパを前記底面に沿って前進及び後進の往復動作させる灰押出装置の改造方法であって、前記第二傾斜面の上方、且つ、前記往復動作する前記スクレーパ及び前記アームに接触しない位置に配管を配置する工程と、ガスの噴出口である前記配管の一端を、前記所定水位の下方、且つ、前記第二傾斜面と前記スクレーパとの間に向けて配置する工程とを有する。
【発明の効果】
【０００９】
本発明の灰押出装置によれば、第一配管を通じて貯留水内で噴出されたガスが泡となりながら水流を生じさせるため、貯留水内を漂う戻り灰を水流で攪拌できるとともに、スクレーパの裏側や第二傾斜面上に堆積し始めた戻り灰を泡で剥離させて攪拌することもできる。攪拌された戻り灰は、スクレーパの往復動作により生じる水流に乗って、スクレーパと壁面の下端部との隙間から貯留水とともに導入口直下の空間へと排出される。従って、簡易な構造で、戻り灰の堆積を抑制することができる。戻り灰の堆積を抑制することができるので、清掃を頻繁に行う必要もない。
【００１０】
また、本発明の灰押出装置の改造方法によれば、一般的な灰押出装置に対し、スクレーパ及びアームに接触しない位置に第一配管を配置し、一端に設けられた第一噴出口を、第二傾斜面及びスクレーパの間に向けて設置することで完成する。つまり、冷却槽やスクレーパや駆動装置といった主要部品を一切変更することなく改造が可能である。従って、安価で簡単、且つ、短い工事期間で改造工事をすることができ、簡易な構造で、戻り灰の堆積を抑制可能な灰押出装置を実現できる。
【図面の簡単な説明】
【００１１】
【図１】実施形態に係る灰押出装置の断面図である。
【図２】図１に示す灰押出装置のスクレーパが後進した状態を示す断面図である。
【図３】図１に示す灰押出装置のスクレーパが前進した状態を示す断面図である。
【図４】変形例に係る灰押出装置の断面図である。
【発明を実施するための形態】
【００１２】
以下、図面を参照して、実施形態としての灰押出装置について説明するとともに、その改造方法について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
背景技術で説明したように、「戻り灰」の堆積量が増加すると、スクレーパの駆動に支障をきたし、焼却灰を排出口から押し出すことができなくなるおそれがある。そこで、本実施形態の灰押出装置は、後述するとおり、第二空間において、第二傾斜面とスクレーパとの間に向けてガスを噴出する配管を有するという簡易な構造を採用し、戻り灰の堆積を抑制する。以下、まずは灰押出装置の全体構成を説明し、次いで、戻り灰の堆積抑制のための構成を詳述する。
【００１４】
［１．全体構成］
図１に示すように、本実施形態の灰押出装置１は焼却炉（例えばストーカ炉）に設けられ、焼却炉で生成された焼却灰を冷却槽２で冷却したのち搬送装置１１（例えばコンベヤ）へと排出する。灰押出装置１は、焼却灰を冷却する貯留水が貯留された冷却槽２と、冷却槽２内に配置されたスクレーパ３及び駆動装置４とを有する。冷却槽２には、焼却灰が導入される導入口２１及び冷却された焼却灰を排出する排出口２２が設けられる。
【００１５】
スクレーパ３は冷却された焼却灰を排出口２２側へ押し出す装置である。スクレーパ３は、上方を向く上面３ａと排出口２２側を向く押出面３ｂと図示しない両側面とを備え、冷却槽２の底面２３側に開放した箱型形状をなす。スクレーパ３は、押出面３ｂの下端（すなわちスクレーパ３の先端３ｃ）が冷却槽２の底面２３の全幅に亘って接しながら底面２３に沿って前進及び後進する。なお、前進とは、スクレーパ３が焼却灰を排出口２２側へ押し出す方向（図１中の左方向、前進方向Ｄｆ）に動くことを意味し、後進とは、前進の逆方向（スクレーパ３が戻る方向、図１中の右方向、後進方向Ｄｒ）に動くことを意味する。また、全幅とは、冷却槽２の内部の幅方向（図１の紙面に直交する方向）の大きさを意味する。
【００１６】
駆動装置４はスクレーパ３を駆動する装置であり、導入口２１に対し排出口２２の逆側（図１中の右側）に配置される。駆動装置４は、二方向に回動可能な駆動軸４０と、スクレーパ３と駆動軸４０とを接続するアーム４１とを備える。駆動装置４は、駆動軸４０が回動することでアーム４１によってスクレーパ３を前進及び後進の往復動作をさせる。
【００１７】
冷却槽２の導入口２１は、筒状（例えば矩形筒状）の壁面２０で形成される。この壁面２０は、図示しない灰シュートと直結される。なお、灰シュートの上端は、図示しない焼却炉（例えばストーカ炉の後燃焼段）に接続される。壁面２０の下端は、冷却槽２内の貯留水の所定水位（図１中の破線）よりも下方に位置する。
【００１８】
冷却槽２の底面２３は、導入口２１の直下から、排出口２２（具体的には、排出口２２における鉛直方向且つ下方の端部である開口端２３ｄ）に向かって上り傾斜となる第一傾斜面２３ａと、導入口２１の直下から第一傾斜面２３ａの逆側に向かって上り傾斜となる第二傾斜面２３ｂとを備える。すなわち、第一傾斜面２３ａは前進方向Ｄｆに向かうにしたがって漸次高くなるよう形成され、第二傾斜面２３ｂは後進方向Ｄｒに向かうにしたがって漸次高くなるよう形成される。なお、冷却槽２では、導入口２１の直下の底面部分（以下「最下面２３ｃ」という）が最も低く、底面２３は、下に凸の曲面状となっている。冷却槽２の断面形状は幅方向に一様であり、第一傾斜面２３ａ、最下面２３ｃ及び第二傾斜面２３ｂの各幅寸法は全て同一である。
【００１９】
駆動装置４の駆動軸４０は、第二傾斜面２３ｂの上方であって貯留水に浸からない位置（すなわち所定水位よりも上方）に配置される。水封のため、貯留水の所定水位は、壁面２０の下端よりも上方且つ排出口２２の下方に設定される。冷却槽２内の貯留水は、この所定水位に保たれるようコントロールされる。具体的には、冷却槽２の第二傾斜面２３ｂの上方に配置された水位計９によって貯留水の実際の水位（実水位）が検出され、制御装置１０が、水位計９によって検出された実水位に基づき注水管７の注水電磁バルブ７２を開閉制御する。
【００２０】
注水管７は、冷却槽２内の貯留水を増水する配管であり、第二傾斜面２３ｂの上方に配置される。注水電磁バルブ７２は注水管７の中途に介装されている。注水電磁バルブ７２が開弁すると冷却槽２内に貯留するための水道水などの液体が注水管７の内部を流通し、注水電磁バルブ７２が閉弁すると当該液体の流通が止まる。
【００２１】
冷却槽２には、貯留水の水位が所定水位を超えた場合に、貯留水を排水するための排水管８が設けられる。排水管８の上端の開口は所定水位よりもやや上方且つ近傍に配置される。これにより、バルブ制御をすることなく過剰な貯留水は自働的に排出される。なお、貯留水は主成分が水である液体であればよく、水道水や再利用水（プラント内で使用されたのち処理された水）であってもよいし、塩酸等が混合されて中性化された混合水であってもよい。
【００２２】
制御装置１０は、灰押出装置１が有する電子制御装置であり、プロセッサ及びメモリを搭載した電子デバイスである。制御装置１０は、上述のように水位計９の測定した実水位に基づき、注水電磁バルブ７２を制御するのみならず、後述する第一配管５に介装された第一電磁バルブ５２の開弁および閉弁をも制御する。また、制御装置１０は、駆動装置４を制御する。
【００２３】
冷却槽２は、スクレーパ３の前進及び後進の方向において三つの空間に大別される。具体的には、導入口２１の直下（最下面２３ｃの上方）の空間（消火加湿空間２４）と、第一傾斜面２３ａの上方に位置する空間（第一空間２５）と、第二傾斜面２３ｂの上方に位置する空間（第二空間２６）である。
【００２４】
消火加湿空間２４は、導入口２１から焼却灰が導入されるともに、この焼却灰を消火及び冷却しつつ加湿する空間である。第一空間２５は、スクレーパ３により押された焼却灰を引き続き加湿するとともに、所定水位よりも上方に位置する焼却灰の水分を抜いて固化しない程度に乾燥させる空間である。第二空間２６は、上記の駆動装置４、注水管７、排水管８及び水位計９が配置される空間である。また、スクレーパ３が最も後退した状態（図１中の実線の状態）では、スクレーパ３の大部分が第二空間２６内に位置する。
【００２５】
図１に拡大して示すように、スクレーパ３の上面３ａと後壁２０Ｒの下端部２０ｂとの間には、消火加湿空間２４と第二空間２６とを連通する隙間Ｇが設けられる。隙間Ｇは、スクレーパ３が最も前進した状態（図１中の二点鎖線の状態）でも確保される。この隙間Ｇにより、スクレーパ３が壁面２０に接触することなく往復動作可能となっている。さらに、この隙間Ｇを通じて、注水管７から注水された貯留水が消火加湿空間２４へ流通可能となっている。
【００２６】
隙間Ｇは、スクレーパ３の前進に伴って次第に狭まり、スクレーパ３の後進に伴って次第に広がるように、スクレーパ３の上面３ａ及び後壁２０Ｒの下端部２０ｂの位置関係が設定される。例えば、スクレーパ３が最も前進した状態の隙間をＧ１とし、スクレーパ３が最も後退した状態の隙間をＧ２とすると、Ｇ１＜Ｇ２の関係が成り立つ。消火加湿空間２４及び第二空間２６は、実質的に、この隙間Ｇのみを介して連通する。なお、スクレーパ３の上面３ａの形状を、隙間Ｇの大きさを適正に保つための湾曲形状や階段状の形状にしてもよい。
【００２７】
［２．要部構成］
スクレーパ３が往復動作すると貯留水に水流が生じ、貯留水に浸かっている焼却灰が貯留水とともに隙間Ｇから第二空間２６に入り込んで第二空間２６に堆積する戻り灰となりうる。灰押出装置１では、焼却灰が第二空間２６に入り込むことを防止したり、第二傾斜面２３ｂ上に堆積した戻り灰を清掃したりする方法ではなく、第二空間２６内に入り込んだ戻り灰が堆積することを抑制し、隙間Ｇを通じて消火加湿空間２４に戻るように構成した点に特徴がある。
【００２８】
具体的には、灰押出装置１は、第二傾斜面２３ｂの上方であって、往復動作するスクレーパ３及びアーム４１に接触しない位置に一端５ａ（下端）から他端５ｂ（上端）まで配置された直線状の第一配管５を有する。第一配管５の一端５ａは、所定水位よりも下方に配置され、他端５ｂは所定水位よりも上方に配置される。なお、スクレーパ３は冷却槽２の実質的に全幅に亘って設けられる一方、アーム４１は幅方向に間隔をあけて複数配置されるため、第一配管５は、スクレーパ３が最も後退した位置よりも後進側（図１中の右側）の位置であって、幅方向においてアーム４１と重ならない位置に配置される。
【００２９】
第一配管５の一端５ａには、他端５ｂから導入されたガスを第二傾斜面２３ｂとスクレーパ３との間に向けて噴出する第一噴出口５０が設けられる。灰押出装置１では、第一配管５の他端５ｂに第一コンプレッサ５１が設けられる。第一配管５から噴出されるガスは、この第一コンプレッサ５１により圧縮された圧縮空気である。なお、圧縮空気の代わりに、焼却炉の排ガスを第一噴出口５０から噴出する構成としてもよい。この場合、第一コンプレッサ５１に代えて又は加えて、焼却炉の排ガスダクトから排ガスを第一配管５の他端５ｂに導入するための導入管を接続すればよい。
【００３０】
図１に拡大して示すように、第一配管５の一端５ａの形状は、実質的に水平方向に屈曲形成された角部を備えたＬ字形状である。この角部が第二傾斜面２３ｂに接触して配置される。これにより、第一噴出口５０からガスを噴出した際に、ガスの圧力で一端５ａが後進方向Ｄｒ側に押し戻されても、第一配管５の変形または変位が防止される。また、スクレーパ３の後進によりかき上げられた戻り灰の物理的な圧力によって第一配管５が変形または変位することも防止される。
【００３１】
また、第一配管５では、第一噴出口５０が、実質的に水平方向、具体的には第一配管５の延在方向（例えば鉛直方向）に対して直交する方向（例えば水平方向）に開口するので、第一噴出口５０からのガスは、第二傾斜面２３ｂから離れる方向に噴出する。このため、ガスが第二傾斜面２３ｂを削るなどして第二傾斜面２３ｂを損傷することはない。また、上述のように、スクレーパ３は、上面３ａが存在するものの、冷却槽２の底面２３側に開放、言い換えれば上面３ａに対向する底面のない箱型形状であるので、第一噴出口５０からのガスがスクレーパ３を削るなどしてスクレーパ３を損傷することはない。
【００３２】
さらに、第二傾斜面２３ｂの近傍で第一噴出口５０から噴出されるガスにより生じる水流と泡は、第二傾斜面２３ｂとスクレーパ３との間を前進方向Ｄｆに進み、やがてスクレーパ３の押出面３ｂまたは上面３ａに速度を落として穏やかに当たることではね返り、または、当たることなく渦を巻く。このため、当該ガスによる泡で、第二空間２６に堆積（例えば、第二傾斜面２３ｂに堆積、スクレーパ３の裏側に堆積、等）した戻り灰が剥離され、当該水流によって、当該剥離した戻り灰のみならず第二空間２６に堆積しようとする戻り灰を攪拌する。
【００３３】
言い換えると、灰押出装置１は、第二空間２６内に堆積した戻り灰を剥離するとともに、第二空間２６内の戻り灰が第二傾斜面２３ｂ上に堆積する前に、第一噴出口５０から噴出されるガスによって戻り灰を攪拌し、貯留水内に戻り灰が混ざり合った状態（流動状態）を保つ。従って、灰押出装置１は、戻り灰を第二空間２６から容易に排出する。また、灰押出装置１においては、戻り灰は、上記泡の浮力によりスクレーパ３の裏側や第二傾斜面２３ｂの近傍から水面に押し上げられて分散する。従って、灰押出装置１は、戻り灰を第二空間２６からさらに容易に排出することができる。
【００３４】
第一配管５は、灰押出装置１の幅方向に所定の間隔をあけて複数配置される。各第一配管５は、例えば幅方向に延設される一つの支持部材（図示略）に固定されて支持されてよい。各第一配管５の断面形状は特に限定されず、円形、楕円形、多角形などを適用可能である。なお、第一噴出口５０にノズル（図示略）を取り付けて、ガスを勢いよく噴射する構成としてもよい。
【００３５】
灰押出装置１では、制御装置１０が第一噴出口５０からのガスの噴出を制御する。具体的には、制御装置１０は、第一配管５の中途に介装された第一電磁バルブ５２の開弁及び閉弁を制御する。そして、制御装置１０は、少なくともスクレーパ３の後進の際に第一噴出口５０からガスを噴出させる。
【００３６】
ここでは、制御装置１０が、スクレーパ３の後進中に第一電磁バルブ５２を開弁してガスを噴出させ、スクレーパ３が停止又は前進しているときに第一電磁バルブ５２を閉弁する場合を例示する。
【００３７】
図２に示すように、スクレーパ３が後進する際には、制御装置１０が第一噴出口５０からガスを噴出させるので戻り灰が攪拌されるとともに、スクレーパ３によって戻り灰がかき上げられる。
また、スクレーパ３の後進により、第二空間２６において、戻り灰を含む貯留水の位置が所定水位より上昇し、且つ、消火加湿空間２４における貯留水の位置が所定水位より下降する。このため、スクレーパ３の後進に伴って次第に広がる隙間Ｇを流れる水流Ｗｒに乗り、戻り灰が第二空間２６から消火加湿空間２４へ排出される。
【００３８】
さらに、スクレーパ３の後進により、第二空間２６においてスクレーパ３にかき上げられた戻り灰が第一噴出口５０から噴出されたガスにより撹拌されるので、かき上げられた戻り灰による第一配管５の損傷を防止し、第一噴出口５０に戻り灰が侵入して第一噴出口５０が閉塞することを防止できる。
なお、スクレーパ３が後進する際、排水管８からも戻り灰を含む貯留水が排出される場合がある。
従って、第二空間２６内の戻り灰の堆積が抑制される。
【００３９】
一方、図３に示すように、スクレーパ３が前進する際には、消火加湿空間２４内の焼却灰が盛り上がり、消火加湿空間２４において、戻り灰を含む貯留水の位置が所定水位より上昇し、且つ、第二空間２６において、戻り灰を含む貯留水の位置が所定水位より下降する。ただし、隙間Ｇはスクレーパ３の前進に伴って次第に狭くなることから、隙間Ｇを通じて消火加湿空間２４から第二空間２６に貯留水が流れにくくなり、隙間Ｇを流れる水流Ｗｆによる戻り灰の量が抑えられる。これによっても、第二空間２６内の戻り灰の堆積が抑制される。なお、スクレーパ３の前進の際にも、制御装置１０が第一噴出口５０からガスを噴出させる構成であってもよい。この場合、第二空間２６内の貯留水が常時かき乱されることになるため、戻り灰の堆積がより抑制される。
【００４０】
［３．灰押出装置の改造方法］
ここで、一般的な灰押出装置を、上述した灰押出装置１に改造するための方法について説明する。本改造方法は、二つの配置工程を有する。第一の配置工程は、上述した冷却槽２とスクレーパ３と駆動装置４と、を有する一般的な灰押出装置に対し、第一配管５を配置する工程である。この工程では、第一配管５を、第二傾斜面２３ｂの上方、且つ、往復動作するスクレーパ３及びアーム４１に接触しない位置に配置する。本実施形態では、第一配管５の一端５ａ側の角部が第二傾斜面２３ｂに接触する位置に第一配管５を配置する。
【００４１】
第二の配置工程は、上記の第一配管５の一端５ａに設けられた第一噴出口５０を、所定水位の下方、且つ、第二傾斜面２３ｂとスクレーパ３との間に向けて配置する工程である。すなわち、第一噴出口５０からのガスが、第二傾斜面２３ｂとスクレーパ３との間に向かって噴出されるように、第一噴出口５０の向きが設定される。なお、第一の配置工程及び第二の配置工程は、同時に実施してもよいし、前者を後者よりも先に実施してもよい。
【００４２】
［４．効果］
（１）本実施形態の灰押出装置１によれば、第一配管５を通じて貯留水内で噴出されたガスが泡と水流を生じさせるため、貯留水内を漂う戻り灰を攪拌できるとともに、堆積し始めた戻り灰を第二傾斜面２３ｂ上から剥離させて攪拌することができる。戻り灰を含む貯留水は、スクレーパ３の往復動作により生じる水流に乗って、隙間Ｇを介して第二空間２６から消火加湿空間２４へと排出されやすく、消火加湿空間２４から第二空間２６へ排出されにくい。従って、簡易な構造で、戻り灰の堆積を抑制することができる。また、戻り灰の堆積を抑制することができるので、清掃を頻繁に行う必要もない。
【００４３】
なお、ガスではなく液体（例えば貯留水と同じ水道水などの液体）を配管から噴出する構成であっても戻り灰の攪拌効果は期待できる。しかしながら、液体では、泡による戻り灰の剥離の効果が期待できない。
また、冷却槽２の貯留水の液量は、スクレーパ３を動作させない場合における所定水位まで貯留される液量に制限され、それ以上の液量については、排水管８から排出される。このため、ガスではなく液体を使用する場合は、プラントの運転コストを上昇させることになりうる。これに対し、第一噴出口５０からガスを噴出する構成であれば、貯留水の液量に影響しないため、プラントの運転コストを安価にすることができる。
【００４４】
また、上述した灰押出装置１は、一般的な灰押出装置に対し、スクレーパ３及びアーム４１に接触しない位置に第一配管５を配置し、一端５ａに設けられた第一噴出口５０を、第二傾斜面２３ｂ及びスクレーパ３の間に向けて設置することで完成する。つまり、冷却槽２やスクレーパ３や駆動装置４といった主要部品を一切変更することなく改造が可能である。従って、安価で簡単、且つ、短い工事期間で改造工事をすることができ、簡易な構造で、戻り灰の堆積を抑制可能な灰押出装置１を実現できる。
【００４５】
（２）上述した灰押出装置１によれば、攪拌力の強い圧縮空気が第一噴出口５０から噴出されるため、戻り灰をより攪拌することができ、戻り灰の堆積をより抑制できる。また、圧縮空気を噴出するためには第一コンプレッサ５１を設ければよく、空気自体のコストはかからないため、安価な灰押出装置１を実現できる。また、焼却炉の排ガスを第一噴出口５０から噴出する構成とすれば、噴出されるガスの温度が高いため剥離力が増加し、戻り灰の堆積をより抑制できる。また、この場合、排ガスに含まれる二酸化炭素によって灰が炭酸化反応するので、灰の無害化を図ることができる。
【００４６】
（３）上述した灰押出装置１では、第一噴出口５０からのガスの噴出を制御する制御装置１０が設けられ、少なくともスクレーパ３の後進の際にガスが噴出される。スクレーパ３が後進する際には、隙間Ｇを通じて、第二空間２６内の貯留水が消火加湿空間２４へ流れる水流（図２中の矢印Ｗｒ）が発生するため、少なくともスクレーパ３の後進中にガスを噴出させることで、攪拌した戻り灰を隙間Ｇの水流Ｗｒに乗せて排出することができる。このため、効率よく戻り灰の堆積を抑制することができる。また、スクレーパ３にかき上げられた戻り灰も第一噴出口５０から噴出されたガスにより撹拌されるので、かき上げられた戻り灰による第一配管５等の配管類の損傷を防止し、また第一噴出口５０が戻り灰によって閉塞することを防止できる。
【００４７】
（４）上述した灰押出装置１では、隙間Ｇが、スクレーパ３の前進に伴って次第に狭まり、スクレーパ３の後進に伴って次第に広がるように、スクレーパ３の上面３ａ及び後壁２０Ｒの下端部２０ｂの位置関係が設定される。このため、スクレーパ３の前進中は、隙間Ｇを通じて第二空間２６内に貯留水が流れにくくなり、隙間Ｇを流れる水流Ｗｆによる戻り灰の量を抑制できる。一方、スクレーパ３の後進中は隙間Ｇが次第に広がるため、隙間Ｇを流れる水流Ｗｒに乗って戻り灰が消火加湿空間２４へ排出されやすくなる。従って、第二空間２６内の戻り灰の堆積を抑制することができる。
【００４８】
（５）また、上述した灰押出装置１によれば、第一配管５の一端５ａの角部が第二傾斜面２３ｂに接触配置されるため、第一噴出口５０からガスが噴出されたときの反力で第一配管５が変形または変位することを防止できる。また、スクレーパ３によりかき上げられた戻り灰により第一配管５が変形または変位することを防止できる。従って、第二傾斜面２３ｂとスクレーパ３との間に的確に当該ガスを噴出することができる。このため、当該ガスが直接的に第二傾斜面２３ｂに向かって噴出されないことから、当該ガスにより第二傾斜面２３ｂが損傷（具体的には、当該ガスで第二傾斜面２３ｂが削れ、厚みが低減する摩耗損傷）するおそれがない。
【００４９】
［５．変形例］
上述した灰押出装置１は一例であり、上述した構成に限られない。例えば、図４に示す灰押出装置１′のように、灰押出装置１の構成に加えて、直線状の第二配管６を有してもよい。第二配管６は、第二傾斜面２３ｂの上方であって、往復動作するスクレーパ３及びアーム４１に接触しない位置に一端６ａから他端６ｂまで配置される。第二配管６の一端６ａは、所定水位よりも下方に配置され、他端６ｂは所定水位よりも上方に配置される。
【００５０】
第二配管６の一端６ａには、他端６ｂから導入されたガスを噴出する第二噴出口６０が設けられる。第二噴出口６０は、壁面２０のうち第二傾斜面２３ｂの上方に位置する壁面（すなわち後壁２０Ｒ）の下端部２０ｂに形成された開孔に接続される。
第二噴出口６０から噴出されたガスによる泡で、隙間Ｇに堆積した焼却灰を剥離し、当該ガスによる水流で、当該剥離した焼却灰のみならず、隙間Ｇに堆積または堆積しようとする焼却灰を押し流し、焼却灰による隙間Ｇの閉塞を抑制する。
【００５１】
具体的には、図４に拡大して示すように、第二配管６の一端６ａの形状は、実質的に水平方向に屈曲形成された角部を備えたＬ字形状である。この角部よりも先端側（第二噴射口６０側）が第二空間２６側から開孔に挿入されて固定（接続）される。
第二配管６がこのように配置されることで、第二噴出口６０からガスが隙間Ｇの近傍で噴出され、当該ガスにより生じる貯留水の水流とガスによる泡が、スクレーパ３の上面３ａに堆積した焼却灰ではね返り、隙間Ｇの周辺に滞留する焼却灰や浮遊する焼却灰（浮遊灰）を攪拌する。
【００５２】
詳述すると、灰押出装置１′では、第二噴出口６０から噴出されたガスにより生じる貯留水の水流とガスによる泡が、まず、スクレーパ３の上面３ａに堆積した焼却灰を削り取る。そして、当該堆積した焼却灰ではね返り隙間Ｇの近傍に流れ込む泡が、隙間Ｇの周囲に付着した焼却灰を剥離し、当該堆積した焼却灰ではね返って隙間Ｇの近傍に流れ込む水流が、当該剥離した焼却灰及び隙間Ｇに堆積しようとする焼却灰を押し流す。
従って、隙間Ｇの焼却灰による閉塞が抑制されるため、灰押出装置１に比べ、灰押出装置１′は、スクレーパ３の往復運動に伴って、戻り灰を含む貯留水を第二空間２６から消火加湿空間２４へより確実に排出することができる。
【００５３】
さらに、灰押出装置１′は、第二噴出口６０から噴出されたガスにより生じる貯留水の水流とガスによる泡によって、特に、上記のはね返った水流と泡によって、導入口２１の直下の水面に浮遊する焼却灰（浮遊灰）を攪拌して加湿することができ、浮遊灰が水面で固化するアーチングを防止できる。
なお、第二噴出口６０の向きは、スクレーパ３に向かって直接的にガスが噴出しないように設定される。このため、上記はね返りにより間接的に泡や水流が隙間Ｇの近傍の壁面２０Ｒやスクレーパ３に穏やかに接触するため、壁面２０Ｒやスクレーパ３が削りとられる等の損傷を防止することができる。
【００５４】
本変形例の灰押出装置１′では、第二配管６の他端６ｂに第二コンプレッサ６１が設けられる。第二配管６から噴出されるガスは、この第二コンプレッサ６１により圧縮された圧縮空気である。なお、第二コンプレッサ６１に代えて、第一コンプレッサ５１と第一電磁バルブ５２との間に分岐点を設け、第二配管６の他端６ｂをこの分岐点に接続することで、第一コンプレッサ５１を兼用してもよい。また、圧縮空気の代わりに、焼却炉の排ガスを第二噴出口６０から噴出する構成としてもよい。この場合、第二コンプレッサ６１に代えて又は加えて、焼却炉の排ガスダクトから排ガスを第二配管６の他端６ｂに導入するための導入管を接続すればよい。
【００５５】
第二配管６は、灰押出装置１′の幅方向に所定の間隔をあけて複数配置される。なお、第一配管５及び第二配管６は同数でなくてもよく、配置される間隔が同一である必要はない。第二配管６の断面形状も特に限定されず、円形，楕円形，多角形などを適用可能である。なお、第二噴出口６０にノズル（図示略）を取り付けて、ガスを勢いよく噴射する構成としてもよい。
【００５６】
本変形例の灰押出装置１′では、制御装置１０が、第一噴出口５０からのガスの噴出を制御するのみならず、第二噴出口６０からのガスの噴出を制御する。具体的には、制御装置１０は、第二配管６の中途に介装された第二電磁バルブ６２を開閉制御することで、少なくともスクレーパ３の後進の際に第二噴出口６０からガスを噴出させる。例えば制御装置１０は、スクレーパ３の後進中に第二電磁バルブ６２を開弁してガスを噴出させ、スクレーパ３が停止又は前進しているときに第二電磁バルブ６２を閉弁する。このように、制御装置１０が、第一噴出口５０からのガスの噴出タイミングと同期して、第二噴出口６０からガスを噴出するように制御するので、より効果的に戻り灰の堆積を抑制することができる。
【００５７】
なお、上述した実施形態及び変形例の灰押出装置１、１′において、制御装置１０がガスの噴出タイミングだけでなく、噴出量を制御するよう構成してもよい。
【符号の説明】
【００５８】
１、１′  灰押出装置
２  冷却槽
３  スクレーパ
３ａ  上面
３ｂ  押出面
３ｃ  先端
４  駆動装置
５  第一配管
５ａ  一端
５ｂ  他端
６  第二配管
６ａ  一端
６ｂ  他端
７  注水管
８  排水管
９  水位計
１０  制御装置
１１  搬送装置
２０  壁面
２０ｂ  下端部
２０Ｆ  前壁
２０Ｒ  後壁
２１  導入口
２２  排出口
２３  底面
２３ａ  第一傾斜面
２３ｂ  第二傾斜面
２３ｃ  最下面
２３ｄ  開口端
２４  消火加湿空間
２５  第一空間
２６  第二空間
４０  駆動軸
４１  アーム
５０  第一噴出口
５１  第一コンプレッサ
５２  第一電磁バルブ
６０  第二噴出口
６１  第二コンプレッサ
６２  第二電磁バルブ
７２  注水電磁バルブ
Ｄｆ  前進方向
Ｄｒ  後進方向
Ｗｆ、Ｗｒ  水流
Ｇ、Ｇ１、Ｇ２  隙間
【要約】
【課題】簡易な構造で、且つ、戻り灰の堆積を抑制する。
【解決手段】焼却灰の導入口２１及び排出口２２を備えた冷却槽２と、冷却槽２内の焼却灰を押し出すスクレーパ３と、スクレーパ３を駆動する駆動装置４とを有し、冷却槽２の底面２３が第一傾斜面２３ａ及び第二傾斜面２３ｂを備え、貯留水が所定水位で貯えられ、駆動装置４がスクレーパ３を底面２３に沿って往復動作させる灰押出装置１は、第二傾斜面２３ｂの上方であってスクレーパ３及びアーム４１に接触しない位置に配置された第一配管５を有する。第一配管５は、一端５ａが所定水位よりも下方に配置され、この一端５ａに、他端５ｂから導入されたガスを第二傾斜面２３ｂとスクレーパ３との間に向けて噴出する第一噴出口５０を備える。第一噴出口５０から噴出されたガスにより生じる貯留水の水流とガスによる泡とによって、第二傾斜面２３ｂ側に堆積しようとする戻り灰を攪拌する。
【選択図】図１【図１】
0006718563.tif 000002
【図２】
0006718563.tif 000003
【図３】
0006718563.tif 000004
【図４】
0006718563.tif 000005